(57)【要約】【課題】  別部品を必要とせずに芯線が基板の表面に露出することを防ぐことができて、コストダウンを図れ、芯線が基板の表面に露出しないから、ＡＣコード又はコードを安定した状態で基板に固定できると共に断線することを防ぐことができ、作業性を改善することができるＡＣコードの基板への固定構造及びコードの基板への固定構造を提供する。【解決手段】  ＡＣコード２の端部を基板１に設けられた孔部１ａに挿入して基板１の裏面側で半田付けしてＡＣコード２を基板１に固定するようにしたＡＣコードの基板への固定構造において、ＡＣコード２の先端部分の被覆部２ａが基板１の孔部１ａに挿入され、その端部が基板１の裏面側で略Ｌ字形に屈曲され、ＡＣコード２の端部が基板の裏面に半田付けによる半田３で取付固定されるように構成した。【選択図】  図１
0003128148.tif 000002
【実用新案登録請求の範囲】
【請求項１】
ＡＣコードの端部を基板に設けられた孔部に挿入して前記基板の裏面側で半田付けして前記ＡＣコードを基板に固定するようにしたＡＣコードの基板への固定構造において、前記ＡＣコードの先端部分の被覆部が前記基板の孔部に挿入され、その端部が基板の裏面側で略Ｌ字形に屈曲され、前記ＡＣコードの端部が前記基板の裏面に半田付けで取付固定されるように構成したことを特徴とするＡＣコードの基板への固定構造。
【請求項２】
コードの端部を基板に設けられた孔部に挿入して前記基板の裏面側で半田付けして前記コードを基板に固定するようにしたコードの基板への固定構造において、前記コードの先端部分の被覆部が前記基板の孔部に挿入され、その端部が基板の裏面側で屈曲され、前記コードの端部が前記基板の裏面に半田付けで取付固定されるように構成したことを特徴とするコードの基板への固定構造。
【請求項３】
前記コードの端部は基板の裏面側で略Ｌ字形に屈曲され、更に、その先端が前記基板の裏面に沿ってＵ字形あるいはＶ字形に屈曲されており、前記コードの先端を含む端部が前記基板の裏面に半田付けで取付固定される請求項２に記載のコードの基板への固定構造。
【考案の詳細な説明】
【技術分野】
【０００１】
本考案は、ＡＣコード又はコードの端部を基板に設けられた孔部に挿入して基板の裏面側で半田付けしてＡＣコード又はコードを基板に固定するようにしたＡＣコードの基板への固定構造及びコードの基板への固定構造に関するものである。
【背景技術】
【０００２】
従来のＡＣコードの基板への固定構造は、図３（ａ）（ｂ）に示すように、ＡＣコード１０１の先端の被覆部１０２を剥いだ芯線１０３を基板１０４に設けられた孔部１０４ａに挿入し、基板１０４の裏面に半田付けで取付固定していた。ところが、図３（ａ）（ｂ）に示すように、芯線１０３が基板１０４の表面に露出した状態であったために、基板１０４に固定した後で安定が悪く、断線することがあるという問題があった。
【０００３】
第１の従来技術を図４、図５、図６に示す。この従来のプリント基板接続装置は、図４、図５、図６に示すように、芯線２０１が絶縁体により被覆された線材２０３と、プリント基板２０４を構成する絶縁基板２０５およびこの絶縁基板２０５に形成される銅箔パターン（図示略）に連通して設けられる接続用孔部２０７に芯線２０１の露出された少なくとも一端がプリント基板２０４の上方から挿入され、半田付けされることにより銅箔パターンに電気的に接続されるプリント基板２０４とから成るプリント基板接続装置において、絶縁材から成る底部２０９と、絶縁材から成り、底部２０９には孔部２１２が設けられ、芯線２０１の露出された一端はプリント基板２０４の上方から底部２０９の孔部２１２を介して絶縁基板２０５と銅箔パターンに連通された接続用孔部２０７に挿入されることにより半田付けがなされ、底部２０９と側壁部２１１により芯線２０１の露出された一端を被覆する保護カバー２１３を設けたものである。（例えば、特許文献１参照）。
【０００４】
ところが、これにおいては、芯線２０１は隠れるが、保護カバー２１３を必要とするために、部品点数が多くなり、コストアップになるという問題があった。
【特許文献１】実開昭６３−８７７８２号公報
【考案の開示】
【考案が解決しようとする課題】
【０００５】
本考案は、上記従来の問題に鑑みてなされたものであって、別部品を必要とせずに芯線が基板の表面に露出することを防ぐことができて、コストダウンを図れ、芯線が基板の表面に露出しないから、ＡＣコード又はコードを安定した状態で基板に固定できると共に断線することを防ぐことができ、作業性を改善することができるＡＣコードの基板への固定構造及びコードの基板への固定構造を提供することを目的としている。
【課題を解決するための手段】
【０００６】
本考案は、上記課題を解決するために提案されたものであって、請求項１に記載の考案は、ＡＣコードの端部を基板に設けられた孔部に挿入して前記基板の裏面側で半田付けして前記ＡＣコードを基板に固定するようにしたＡＣコードの基板への固定構造において、前記ＡＣコードの先端部分の被覆部が前記基板の孔部に挿入され、その端部が基板の裏面側で略Ｌ字形に屈曲され、前記ＡＣコードの端部が前記基板の裏面に半田付けで取付固定されるように構成したことを特徴としている。
【０００７】
請求項２に記載の考案は、コードの端部を基板に設けられた孔部に挿入して前記基板の裏面側で半田付けして前記コードを基板に固定するようにしたコードの基板への固定構造において、前記コードの先端部分の被覆部が前記基板の孔部に挿入され、その端部が基板の裏面側で屈曲され、前記コードの端部が前記基板の裏面に半田付けで取付固定されるように構成したことを特徴としている。
【０００８】
請求項３に記載の考案は、請求項２に記載の考案において、前記コードの端部は基板の裏面側で略Ｌ字形に屈曲され、更に、その先端が前記基板の裏面に沿ってＵ字形あるいはＶ字形に屈曲されており、前記コードの先端を含む端部が前記基板の裏面に半田付けで取付固定されるものである。
【考案の効果】
【０００９】
請求項１に記載の考案によれば、ＡＣコードの先端部分の被覆部が基板の孔部に挿入されるから、基板の表面に芯線が露出することを防ぐことができて、ＡＣコードを安定した状態で基板に固定できると共に断線することを防ぐことができ、作業性を改善することができる。また、別部品を使用しないから、部品点数が多くならずにコストダウンを図ることができる。更に、ＡＣコードの端部が基板の裏面側で略Ｌ字形に屈曲されていてこの端部が基板の裏面に半田付けで取付固定されるから、ＡＣコードを抜けにくくすることができる。
【００１０】
請求項２に記載の考案によれば、コードの先端部分の被覆部が基板の孔部に挿入されるから、基板の表面に芯線が露出することを防ぐことができて、コードを安定した状態で基板に固定できると共に断線することを防ぐことができ、作業性を改善することができる。また、別部品を使用しないので、部品点数が増えることがなくコストダウンを図ることができる。
【００１１】
請求項３に記載の考案によれば、コードの端部が基板の裏面側で略Ｌ字形に屈曲され、その先端がＵ字形あるいはＶ字形に屈曲されているから、コードを強固に固定することができてコードを抜けにくくすることができる。
【考案を実施するための最良の形態】
【００１２】
以下、本考案に係るＡＣコードの基板への固定構造及びコードの基板への固定構造の実施の形態について、図を参照しつつ説明する。尚、以下の実施形態では、ＡＣコードについて説明するが、ＡＣコードに限らず、他のコードやリード線等のコードにも適用できるものである。
【００１３】
図１は本発明の第１実施形態のＡＣコードの基板への固定構造を示し、（ａ）はその斜視図、（ｂ）はその断面図である。
【００１４】
第１実施形態のＡＣコードの基板への固定構造は、図１（ａ）（ｂ）に示すように、基板１に設けられた２つの孔部１ａ、１ａに、ＡＣコード２の先端部分の被覆部２ａ、２ａが挿入されるようになっている。このＡＣコード２の先端部分は、基板１の裏面に沿うように略Ｌ字形に屈曲されており、その端部は芯線２ｂ、２ｂが露出されている。基板１の裏面に沿ったＡＣコード２の先端部分は、手半田付けにより半田３が盛られて基板１の裏面に取付固定されるようになっている。
【００１５】
従って、この第２実施形態によれば、ＡＣコード２の先端部分の被覆部２ａ、２ａが基板１の孔部１ａ、１ａに挿入されるから、基板１の表面に芯線２ｂ、２ｂが露出することを防ぐことができて、ＡＣコード２を安定した状態で基板１に固定できると共に断線することを防ぐことができ、作業性を改善することができる。また、別部品を使用しないから、部品点数が多くならずにコストダウンを図ることができる。更に、ＡＣコード２の端部が基板１の裏面側で略Ｌ字形に屈曲されていてこの端部が基板１の裏面に半田付けで取付固定されるから、ＡＣコード２を抜けにくくすることができる。
【００１６】
図２は第２実施形態のＡＣコードの基板への固定構造を示す斜視図である。
【００１７】
第２実施形態のＡＣコードの基板への固定構造は、図２に示すように、基板１の孔部１ａ、１ａにＡＣコード２の先端部分の被覆部２ａ、２ａが挿入されて略Ｌ字形に屈曲され、更に、端部は芯線２ｂ、２ｂが露出されていて、その先端２ｃ、２ｃが基板１の裏面に沿ってＵ字形に屈曲されている。尚、ＡＣコード２の先端２ｃ、２ｃはＶ字形に屈曲されていてもよい。そして、この先端２ｃ、２ｃを含むＡＣコード２の端部は基板１の裏面に半田付けによって基板１に取付固定されている。
【００１８】
この第２実施形態によれば、ＡＣコード２の端部が基板の裏面側で略Ｌ字形に屈曲され、その先端２ｃ、２ｃがＵ字形あるいはＶ字形に屈曲されているから、ＡＣコード２を一層強固に固定することができてＡＣコード２を抜けにくくすることができる。
【００１９】
尚、ＡＣコード２の先端２ｃ、２ｃはＵ字形、Ｖ字形に屈曲されているものに限らず、例えば、円弧状等の他の形状に屈曲されていてもよいことは勿論である。
【図面の簡単な説明】
【００２０】
【図１】本発明の第１実施形態のＡＣコードの基板への固定構造を示し、（ａ）はその斜視図、（ｂ）はその断面図である。
【図２】第２実施形態のＡＣコードの基板への固定構造を示す斜視図である。
【図３】従来のＡＣコードの基板への固定構造を示し、（ａ）はその斜視図、（ｂ）はその断面図である。
【図４】従来のプリント基板接続装置の分解斜視図である。
【図５】同接続装置の線材を組み付けた状態の斜視図である。
【図６】同接続装置の保護カバーの平面図である。
【符号の説明】
【００２１】
１      基板
１ａ    孔部
２      ＡＣコード
２ａ    被覆部
２ｂ    芯線
２ｃ    先端
３      半田
【図１】
0003128148.tif 000003
【図２】
0003128148.tif 000004
【図３】
0003128148.tif 000005
【図４】
0003128148.tif 000006
【図５】
0003128148.tif 000007
【図６】
0003128148.tif 000008